(57)【要約】【課題】携帯電話機ユーザが日常的にダウンロードして使用しているコンテンツ配信を、ＩＰ電話機でも利用できるようにできるシステムを提供する。【解決手段】ＷＥＢサーバは、メールを配信するあて先アドレスとともにデータベースに格納されている所定のコンテンツをメール配信する内容の信号を受信すると、メールサーバに対して、所定のコンテンツのデータをあて先アドレスにメール配信するように指示するコンテンツ配信指示信号を送出し、メールサーバは、コンテンツ配信指示信号を受け付けると、所定のコンテンツのデータをデータベースより取得してあて先アドレスにメール配信し、ＩＰ電話機は、メール配信されたコンテンツのデータを記憶するコンテンツデータ記憶部と、着信時にコンテンツデータ記憶部に記憶されているコンテンツデータによる動作を実行する制御部と、を備える。【選択図】図２
2007201808.tif 000002
【特許請求の範囲】
【請求項１】
ネットワークにより接続された、コンテンツのデータベースを備えるＷＥＢサーバと、メールサーバと、ＩＰ電話機と、からなるコンテンツ配信システムであって、
前記ＷＥＢサーバは、メールを配信するあて先アドレスとともに前記データベースに格納されている所定のコンテンツをメール配信する内容の信号を受信すると、前記メールサーバに対して、所定のコンテンツのデータを前記あて先アドレスにメール配信するように指示するコンテンツ配信指示信号を送出し、
前記メールサーバは、前記コンテンツ配信指示信号を受け付けると、前記所定のコンテンツのデータを前記データベースより取得して前記あて先アドレスにメール配信し、
前記ＩＰ電話機は、メール配信されたコンテンツのデータを記憶するコンテンツデータ記憶部と、着信時に前記コンテンツデータ記憶部に記憶されているコンテンツデータによる動作を実行する制御部と、を備えることを特徴とするコンテンツ配信システム。
【請求項２】
コンテンツが着信メロディであるコンテンツ配信システム。
【請求項３】
コンテンツが着信動画であるコンテンツ配信システム。
【請求項４】
ネットワークにより接続された、コンテンツのデータベースを備えるＷＥＢサーバと、メールサーバとともにコンテンツ配信システムを構成するＩＰ電話機であって、
前記メールサーバによりメール配信された、前記データベースに格納されている所定のコンテンツを記憶するコンテンツデータ記憶部と、着信時に前記コンテンツデータ記憶部に記憶されているコンテンツデータによる動作を実行する制御部と、を備えることを特徴とするＩＰ電話機。
【請求項５】
ネットワークにより接続された、コンテンツのデータベースを備えるＷＥＢサーバとともにコンテンツ配信システムを構成するメールサーバであって、
前記ＷＥＢサーバよりメールを配信するあて先アドレスとともに前記データベースに格納されている所定のコンテンツをメール配信する内容の前記コンテンツ配信指示信号を受け付けると、前記所定のコンテンツのデータを前記データベースより取得して前記あて先アドレスにメール配信することを特徴とするメールサーバ。
【請求項６】
ネットワークにより接続された、メールサーバとともコンテンツ配信システムを構成するにコンテンツのデータベースを備えるＷＥＢサーバであって、
メールを配信するあて先アドレスとともに前記データベースに格納されている所定のコンテンツをメール配信する内容の信号を受信すると、前記メールサーバに対して、所定のコンテンツのデータを前記あて先アドレスにメール配信するように指示するコンテンツ配信指示信号を送出することを特徴とするＷＥＢサーバ。
【請求項７】
ネットワークにより接続された、コンテンツのデータベースを備えるＷＥＢサーバと、メールサーバと、ＩＰ電話機と、からなるコンテンツ配信システムで行われるコンテンツ配信方法であって、
前記ＷＥＢサーバが、メールを配信するあて先アドレスとともに前記データベースに格納されている所定のコンテンツをメール配信する内容の信号を受信したときに、前記メールサーバに対して、所定のコンテンツのデータを前記あて先アドレスにメール配信するように指示するコンテンツ配信指示信号を送出するステップと、
前記メールサーバが、前記コンテンツ配信指示信号を受け付けて、前記所定のコンテンツのデータを前記データベースより取得して前記あて先アドレスにメール配信するステップと、
前記ＩＰ電話機が、メール配信されたコンテンツのデータによる動作を、着信時に実行するステップと、を備えることを特徴とするコンテンツ配信方法。
【発明の詳細な説明】
【技術分野】
【０００１】
本発明は携帯電話やPHSで使用されているコンテンツ配信をオフィス等で使用しているブラウザやメール機能を搭載したIP電話機へ利用するコンテンツ配信システムに関する。
【背景技術】
【０００２】
携帯電話は単なる通話を行う以外にも使用され、例えば、メールの送受信やインターネットはほとんどの機種で利用でき、ユーザには定着している機能である。またWEBサイトからのダウンロードやメール配信により入手可能な自分の好きな着信メロディを設定することも定着したサービスおよび機能である。
【０００３】
一方、固定電話登録は携帯電話の普及に反して減衰しており、近年オフィス等を中心に急速に普及している音声データ通信VoIP（Voice Over Internet Protocol）を用いたIP電話機が浸透しはじめている。
【０００４】
特許文献１（特開2002-14682号公報）、「曲情報の付加配信システムおよび曲情報の付加配信方法」には、インターネットを介した着信メロディ配信サービスは携帯電話やPHSに対する付加サービスとして説明されており、WEBブラウザやメールの送受信機能を搭載したIP電話機に対する着信メロディ配信サービスは開示されていない。
【発明の開示】
【発明が解決しようとする課題】
【０００５】
現在でもオフィスではPBXや電話交換機を介したデスクトップ型の多機能電話機が使いやすさから見ても主流である。呼び出し音や着信音はPBX等のセンター側により、予め準備されている昔ながらのオーソドックスなものが全ての電話機に同じように設定されているか、せいぜい数種類のオーソドックスな着信音から選べる程度である。
【０００６】
PBXや電話交換機システムにおいてもVoIP対応が進み、従来の多機能電話機に変わり、イーサネットを使用したIP電話機が接続可能なシステムが多く見られるようになってきている。同時にIP電話機自体も従来の通話や保留・転送機能等にとどまらず、イーサネット接続されているメリットより、WEBブラウザやメールの送受信機能を搭載したIP電話機も多く見かけるようになった。
【０００７】
しかし、着信音に関しては従来と同じ誰の番号が鳴動しているのかわからないオーソドックスなものであり、携帯電話の着信メロディに慣れたユーザにとっては使いづらさすら感じるわけだが、そもそも実現できるパワーが十分であるIP電話機への着信メロディ配信システムが無いことと、IP電話機が着信メロディファイル形式に未対応であることが携帯電話のような着信メロディ配信システムを実現する阻害要因となっている。
【０００８】
本発明は上述したような従来の技術が有する問題点に鑑みてなされたものであって、IP電話機に対して着信メロディを配信することのできるシステムを実現することを目的とする。
【課題を解決するための手段】
【０００９】
本発明のコンテンツ配信システムは、ネットワークにより接続された、コンテンツのデータベースを備えるＷＥＢサーバと、メールサーバと、ＩＰ電話機と、からなるコンテンツ配信システムであって、
前記ＷＥＢサーバは、メールを配信するあて先アドレスとともに前記データベースに格納されている所定のコンテンツをメール配信する内容の信号を受信すると、前記メールサーバに対して、所定のコンテンツのデータを前記あて先アドレスにメール配信するように指示するコンテンツ配信指示信号を送出し、
前記メールサーバは、前記コンテンツ配信指示信号を受け付けると、前記所定のコンテンツのデータを前記データベースより取得して前記あて先アドレスにメール配信し、
前記ＩＰ電話機は、メール配信されたコンテンツのデータを記憶するコンテンツデータ記憶部と、着信時に前記コンテンツデータ記憶部に記憶されているコンテンツデータによる動作を実行する制御部と、を備えることを特徴とする。
【００１０】
この場合、コンテンツが着信メロディ、または、着信動画であってもよい。
【００１１】
本発明のＩＰ電話機はネットワークにより接続された、コンテンツのデータベースを備えるＷＥＢサーバと、メールサーバとともにコンテンツ配信システムを構成するＩＰ電話機であって、
前記メールサーバによりメール配信された、前記データベースに格納されている所定のコンテンツを記憶するコンテンツデータ記憶部と、着信時に前記コンテンツデータ記憶部に記憶されているコンテンツデータによる動作を実行する制御部と、を備えることを特徴とする。
【００１２】
本発明のメールサーバは、ネットワークにより接続された、コンテンツのデータベースを備えるＷＥＢサーバとともにコンテンツ配信システムを構成するメールサーバであって、
前記ＷＥＢサーバよりメールを配信するあて先アドレスとともに前記データベースに格納されている所定のコンテンツをメール配信する内容の前記コンテンツ配信指示信号を受け付けると、前記所定のコンテンツのデータを前記データベースより取得して前記あて先アドレスにメール配信することを特徴とする。
【００１３】
本発明のＷＥＢサーバは、ネットワークにより接続された、メールサーバとともにコンテンツ配信システムを構成する、コンテンツのデータベースを備えるＷＥＢサーバであって、
メールを配信するあて先アドレスとともに前記データベースに格納されている所定のコンテンツをメール配信する内容の信号を受信すると、前記メールサーバに対して、所定のコンテンツのデータを前記あて先アドレスにメール配信するように指示するコンテンツ配信指示信号を送出することを特徴とする。
【００１４】
本発明のコンテンツ配信方法は、ネットワークにより接続された、コンテンツのデータベースを備えるＷＥＢサーバと、メールサーバと、ＩＰ電話機と、からなるコンテンツ配信システムで行われるコンテンツ配信方法であって、
前記ＷＥＢサーバが、メールを配信するあて先アドレスとともに前記データベースに格納されている所定のコンテンツをメール配信する内容の信号を受信したときに、前記メールサーバに対して、所定のコンテンツのデータを前記あて先アドレスにメール配信するように指示するコンテンツ配信指示信号を送出するステップと、
前記メールサーバが、前記コンテンツ配信指示信号を受け付けて、前記所定のコンテンツのデータを前記データベースより取得して前記あて先アドレスにメール配信するステップと、
前記ＩＰ電話機が、メール配信されたコンテンツのデータによる動作を、着信時に実行するステップと、を備えることを特徴とするコンテンツ。
【００１５】
キャリア等により提供されたIP電話サービスより、PBXや電話交換機システム以外でもIP電話機は一般家庭やオフィスで単純接続して最小限の設定のみで使用できるようになったことより、着信音に関してより柔軟な設定が許される場面も多い。
【００１６】
本発明のIP電話機は携帯電話やPHSの標準的な着信音データフォーマットを識別・保存して着信音として指定・再生できるメリットがあることにより、WEB上の着信メロディ配信サイトへの新たなサービス付加も発明に含まれる。つまり携帯電話の着信メロディをフリーで提供しているWEBサイトに関してはIP電話機からWEBブラウザにてダウンロードすることができるので、本発明によればメールの送受信可能なIP電話機への着信メロディ配信サービスにおいて、携帯電話に対して有料コンテンツとして着信メロディ配信している場合、メールによる配布がポピュラーであるので、有料着信メロディサイトにWEBアクセスして購入した着信メロディをメール受信し着信音として指定・再生することが可能である。
【００１７】
本発明によるIP電話機によって着信メロディを提供するWEBサイトは、携帯電話による有料着信メロディ配布メールのWEB上のあて先設定の際に複数送信を可能とすることで、携帯電話とIP電話機への同じ楽曲送信が可能である。
【発明の効果】
【００１８】
本発明によるＩＰ電話機着信メロディシステムによれば着信メロディ配信ＷＥＢサイトより任意の着信メロディを選択、ダウンロードして携帯電話機同様、ＩＰ電話機の音源として使用することができ、有料コンテンツに関してもメールにて受信して着信メロディとして使用することができる。
【００１９】
同様な手順で適用できる着信動画に関しても特にデスクトップ型のＩＰ電話機に着信動画を適用することでより親しみやすく、また耳の不自由なユーザ対し、従来の着信ＬＥＤの点灯に加えて着信していることがわかりやすくなる効果がある。
【発明の実施の形態】
【００２０】
次に、本発明の実施形態について図面を参照して説明する。
【００２１】
図１は本発明によるＩＰ電話機の一実施形態の構成を示すブロック図である。
【００２２】
本発明によるＩＰ電話機１０は図１に示すように、イーサネットインターフェイス部１００、制御部１０１、操作部１０２、表示部１０３、音声信号／メロディ処理部１０４、ＲＯＭ１０５、ＲＡＭ１０６、着信メロディデータ記憶部１０７、メールデータ記憶部１０８、ハンドセット１０９、スピーカ１１０、マイク１１１とから構成されている。
【００２３】
イーサネットインターフェイス部１００は音声パケットや着信メロディデータやメールの送受信をインターネットを介して行うためのインターフェイスである。
【００２４】
操作部１０２はダイヤルキーや各種ファンクションキーを備えている。表示部１０３は操作部１０２から入力される各種操作情報や送受信情報やメール情報やＷＥＢブラウザによる各種ＷＥＢサイト等を表示する。
【００２５】
音声信号／メロディ処理部１０４は音声信号や着信メロディデータの符号化／複合化を行う。着信メロディデータ記憶部１０７はダウンロードした着信メロディデータを格納する。
【００２６】
メールデータ記憶部１０８は送受信したメールを格納する。ＲＯＭ１０５は制御部が実行するためのアプリケーションソフトウェアを格納する。ＲＡＭ１０６はＲＯＭ１０５のアプリケーションソフトウェアを展開して制御部が実際に実行するために使用される。
【００２７】
制御部１０１は各部と接続するもので、ＲＡＭ１０６に展開されたアプリケーションソフトウェアによりＩＰ電話機１０を構成する各部の動作を制御する。
【００２８】
ハンドセット１０９は音声の入出力を行う。マイク１１１はハンズフリー通話の音声が入力される。スピーカ１１０はハンズフリー音声や着信音や着信メロディを出力する。
【００２９】
図２は本発明のＩＰ電話機着信メロディシステムの概要を示す図である。ＷＥＢブラウザを装備し、メールの送受信可能なＩＰ電話機２０１とＩＰ電話機２０２はＶｏＩＰ対応の電話交換機２００に管理されており、電話交換機２００を介してインターネット２１０を介してのＩＰ通信が可能である。
【００３０】
ＰＣ（パーソナルコンピュータ）２０４はインターネット２１０に接続可能なパーソナルコンピュータであり、ＷＥＢブラウザを装備している。
【００３１】
電子メールの送受信可能なＩＰ電話機２０３はインターネット２１０上の図には示さないＩＰ電話機管理サーバによって管理されており、ＰＢＸや電話交換機を必要とせずインターネットに接続可能なＩＰ電話機である。
【００３２】
ＰＨＳ２０６は基地局であるＣＳ２０５を介してインターネット２１０に接続してＷＥＢ閲覧やメールの送受信が可能である。
【００３３】
携帯電話機２０７はインターネット２１０に接続してＷＥＢ閲覧やメールの送受信が可能な一般的な通常の携帯電話機である。ＷＥＢサーバ２０８は着信メロディ（着信メロディ）データベース２１１を備え、インターネット２１０上に着信メロディＷＥＢサイトを運営・管理している。
【００３４】
メールサーバ２０９はインターネット２１０を介したメールサーバであり、ＷＥＢサーバ２０８が運営する着信メロディＷＥＢサイトよりメール送信要求があった時は着信メロディデータベース２１１より着信メロディデータを添付して送信する。
【００３５】
図３は、ＩＰ電話機３００がＷＥＢサーバ３０１が発信する着信メロディＷＥＢサイトにより着信メロディをダウンロードする状態を示す図である。
【００３６】
図３に示すように、ＩＰ電話機３００（図１におけるIP電話機１０）がＷＥＢサーバ３０１が発信する着信メロディＷＥＢサイトにアクセスすると、着信メロディＷＥＢサイトから送られてくる画像がIP電話機３００の表示部（図１における表示部１０３）に表示される。まず、表示３０３のようなWEBブラウザが示される。表示３０３としては図示するように、おすすめの着信メロディとして、着信メロディA〜Dが表示されている。
【００３７】
この後、IP電話機３００の利用者が着信メロディBをダウンロードする旨の入力を行うと、着信メロディダウンロードリクエスト３０２がWEBサーバ３０１（図２におけるWEBサーバ２０８）に送信され、WEBサーバ３０１は着信メロディBをIP電話機３００へ送信する着信メロディBダウンロード３０４を行う。
【００３８】
着信メロディBをダウンロードしたIP電話機３００では、ダウンロードした着信メロディＢのデータを着信メロディデータ記憶部（図１における着信メロディデータ記憶部１０７）に保存し、表示部に表示３０６として着信メロディのリストを表示する。
【００３９】
ＩＰ電話機３００は携帯電話等にてポピュラーな着信メロディファイル形式に対応しており、また従来無かった着信メロディ設定メニューを表示することにより、着信メロディデータ記憶部１０７に保存してある中で好みの着信メロディファイルを選択・指定することができる。
【００４０】
図４は本発明のＩＰ電話機着信メロディシステムにより、ＷＥＢサイトより有料着信メロディを購入した場合の動作を示す図であり、ＩＰ電話機４００（図１におけるＩＰ電話機１０）とＷＥＢサーバ４０１（図２におけるＷＥＢサーバ２０８）との間での伝送を示す図である。
【００４１】
図４（ａ）に示すように、ＩＰ電話機４００の表示部（図１における表示部１０３）に、ＷＥＢサーバ４０１が発信する着信メロディＷＥＢサイト（有料）のＷＥＢブラウザが表示４０３として表示されている。この状態で、着信メロディＦを選択する旨の信号４０２がＩＰ電話機４００からＷＥＢサーバ４０１へ送信されると、図４（ｂ）に示すように、ＷＥＢサーバ４０１は、次画面として、自分のＩＰ電話機４００の配布先メールアドレス、登録ＩＤ、パスワードの入力を要求する表示４０５を表示させる。ここで入力する登録ＩＤ、パスワードは有料コンテンツの決済を行うためにＩＰ電話機４００の利用者がＷＥＢサーバ４０１に予め登録してあるもので、これによりポータルサイト等でポピュラーなクレジットカード等による電子決済が可能であるものとする。
【００４２】
ＩＰ電話機４００の利用者は、上記の必要事項を入力後に、これらを送信する旨の「進む」ボタンをクリックすることにより、必要事項入力内容を示す信号４０６がＷＥＢサーバ４０１に送信される。ＩＰ電話機４００による必要事項入力作業は、図６に示すようなダイヤルキー６００を用いた、携帯電話のメール作成などで一般的なダイヤルキー操作によるタイプ入力である。
【００４３】
続いて、図５に示すように、ＷＥＢサーバ４０１はＩＰ電話機４００によって入力された登録ＩＤ、パスワードの認証を行い、予め登録されているものと適合するものであれば、メールサーバ５０２（図２におけるメールサーバ２０９）に対して着信メロディＦのデータを含むメールをＩＰ電話機４００へ送信することを要求する旨の信号５０３を送信する。
【００４４】
信号５０３を受信したメールサーバ５０２は、ＷＥＢサーバ４０１の着信メロディデータベースから対象となる着信メロディＦのデータを取得する送受信５０４を行い、取得した着信メロディＦのデータをメールとともにＩＰ電話機４００へ信号５０５として送信する。
【００４５】
メールサーバ５０２はメール送信が完了すると、ＷＥＢサーバ４０１にメールの送信が完了した旨の信号５０６を送信し、信号５０６を受けたＷＥＢサーバ４０１はＩＰ電話機４００の表示部にメールの送信が完了した内容を表示させる信号５０７を送信し、この結果、ＩＰ電話機４００の表示部にはメールの送信が完了した内容の表示５０８が表示される。
【００４６】
ＩＰ電話機４００は、図１に示したメールデータ記憶部１０８に保存されている受信メールを表示部１０３に表示し、添付されているファイルが着信メロディファイル形式であれば、着信メロディファイルを着信メロディデータ記憶部１０７に保存する。着信メロディデータ記憶部１０７に保存されている着信メロディを選択・指定すると、制御部１０１は着信時に指定されている着信メロディをスピーカ１１０より送出する。
【００４７】
図７は本発明のＩＰ電話機への着信メロディ配信システムによる有料着信メロディ複数配信サービスを示す図であり、携帯電話機７００（図２における携帯電話機２０７）とＷＥＢサーバ７０１（図２におけるＷＥＢサーバ２０８）との間での伝送を示す図である。
【００４８】
図７に示すように、携帯電話機７００は、携帯電話機７００が装備する表示部に、ＷＥＢサーバ７０１が発信する着信メロディＷＥＢサイト（有料）のＷＥＢブラウザを表示する。
【００４９】
携帯電話機７００の利用者は、上記のＷＥＢブラウザへ入力を行うことにより、ＷＥＢサーバ７０１に、着信メロディの選択後の配信メールアドレスを入力する表示を行わせる信号７０２を送信させることができる。この結果、携帯電話機７００の表示部には登録ＩＤ、パスワード、配信先のメールアドレスに加えて、必要であればその他の配信先メールアドレスを入力するための表示７０３が表示される。
【００５０】
ここで、入力する登録ＩＤ、パスワード、配信先メールアドレスは有料コンテンツの決済を行うために携帯電話機７００の利用者がＷＥＢサーバ７０１に予め登録してあるもので、携帯電話機７００の利用者が各必要事項の項目を入力後に「進む」ボタンをクリックすることにより、各項目の内容を含む信号７０４がＷＥＢサーバ７０１に送信される。
【００５１】
信号７０４を受信したＷＥＢサーバ７０１は、図８に示すように、携帯電話機７００によって入力された登録ＩＤ、パスワードの認証を行い、予め登録されているものと適合するものであればメールサーバ７０２（図２に示したメールサーバ２０９）に対して着信メロディのデータを含むメールを信号７０４に示される配信先メールアドレス（本実施形態の場合には携帯電話機７００およびＩＰ電話機８０５のメールアドレス）へ送信することを要求する旨の信号８０３を送信する。
【００５２】
信号８０３を受信したメールサーバ７０２はＷＥＢサーバ７０１の着信メロディデータベースから対象となる着信メロディのデータを取得する送受信８０４を行い、取得した着信メロディのデータをメールとともに携帯電話機７００およびその他の配信先メールアドレスであるＩＰ電話機８０５へ信号８０６、８０７としてそれぞれ送信する。
【００５３】
メールサーバ７０２は信号８０６、８０７の送信が完了すると、ＷＥＢサーバ７０１にメールの送信が完了した旨の信号８０８を送信し、信号８０８を受信したＷＥＢサーバ７０１は携帯電話機７００のＷＥＢブラウザにメールの送信が完了した旨を示す表示を行わせる信号８０９を送信し、この結果、携帯電話機７００の表示部にはメールの送信が完了したことを示す表示８１０が表示される。
【００５４】
携帯電話やＰＨＳによる着信メロディ購入と同様な手続きを行う際に複数配布先を指定できるようにすることによって、自分の携帯電話やＰＨＳで使用したい気に入った着信メロディをＩＰ電話機や他の携帯電話やＰＨＳにも自動的に配布することができる。これより配信先のＷＡＢコンテンツ側は一例としては、複数配信については￥△△増しとか、▽パーセント増しとか、複数配信しても料金同一等のバリエーションの設定ができる。
【００５５】
ここまで着信メロディに関して説明したが、着信動画に関してもデータ自体が大きくなるが、同様の手順でＩＰ電話機に配信・適用することができる。この場合には、着信動画データ記憶部を設け、制御部１０１は着信時に着信動画データ記憶部に記憶され、着信動画として指定されている着信動画データによる動画を表示部１０３に表示させることとすればよい。
【図面の簡単な説明】
【００５６】
【図１】本発明のＩＰ電話機の主要構成を示すブロック図である。
【図２】本発明のＩＰ電話機着信メロディシステムの概要を示す図である。
【図３】本発明のＩＰ電話機着信メロディシステムによりＷＥＢサイトよりフリーの着信メロディを購入した場合の一例を示す図である。
【図４】本発明のＩＰ電話機着信メロディシステムによりＷＥＢサイトより有料着信メロディを購入した場合の一例を示す図である。
【図５】本発明のＩＰ電話機着信メロディシステムによりＷＥＢサイトより有料着信メロディを購入した場合の一例を示す図である。
【図６】ダイヤルキーの一例を示す図である。
【図７】本発明のＩＰ電話機着信メロディシステムによる有料着信メロディ複数配信サービスの一例を示す図である。
【図８】本発明のＩＰ電話機着信メロディシステムによる有料着信メロディ複数配信サービスの一例を示す図である。
【符号の説明】
【００５７】
１００    イーサネットインターフェイス部
１０１    制御部
１０２    操作部
１０３    表示部
１０４    音声信号／メロディ処理部
１０５    ＲＯＭ
１０６    ＲＡＭ
１０７    着信メロディデータ記憶部
１０８    メールデータ記憶部
１０９    ハンドセット
１１０    スピーカ
１１１    マイク
２００    電話交換機
１０、２０１、２０２、２０３、３００、４００、８０５    ＩＰ電話機
２０４    ＰＣ
２０５    ＣＳ
２０６    ＰＨＳ
２０７、７００    携帯電話機
２０８、３０１、４０１、７０１    ＷＥＢサーバ
２０９、５０２    メールサーバ
２１０    インターネット
２１１    着信メロディデータベース
３０３、３０５、４０３、４０５、５０８、７０３、８１０    表示
６００    ＩＰ電話機ダイヤルキー
【図１】
2007201808.tif 000003
【図２】
2007201808.tif 000004
【図３】
2007201808.tif 000005
【図４】
2007201808.tif 000006
【図５】
2007201808.tif 000007
【図６】
2007201808.tif 000008
【図７】
2007201808.tif 000009
【図８】
2007201808.tif 000010